(57)【要約】【課題】自転車用前側子供乗せにおける子供の乗せ下ろしを簡便に行えるようにする。【解決手段】本発明の自転車用前側子供乗せ１は、立上がり部３ａを備えた自転車のハンドル３の間に取り付けられ且つ内部に前方を向いて着座状態で子供を収容する収容部６が上方に向かって開口するように設けられた本体５と、収容部６の開口を上方から閉鎖可能とすると共に収容部６の開口に対して前方上側に向かって跳ね上げ開放可能となるように取り付けられたキャノピー２と、を備え、本体５の上面には、本体５に対して前後方向にスライド自在とされたスライダ７が配備されており、キャノピー２は、スライダ７に対して左右方向を向く軸回りに揺動自在に取り付けられており、スライダ７は、当該本体５の後端までスライドした位置で、収容部６が全面開放するように左右方向を向く軸回りに揺動可能とされている。【選択図】図１
2020082845.tif 000002
【特許請求の範囲】
【請求項１】
立上がり部を備えた自転車の左右ハンドルの間に取り付けられ且つ内部に前方を向いて着座状態で子供を収容する収容部が上方に向かって開口するように設けられた本体と、前記収容部の開口を上方から閉鎖可能とすると共に前記収容部の開口に対して前方上側に向かって跳ね上げ開放可能となるように取り付けられたキャノピーと、を備えた自転車用前側子供乗せであって、
前記本体の上面には、本体に対して前後方向にスライド自在とされたスライダが配備されており、
前記キャノピーは、前記スライダに対して左右方向を向く軸回りに揺動自在に取り付けられており、
前記スライダは、当該本体の後端までスライドした位置で、前記収容部が全面開放するように左右方向を向く軸回りに揺動可能とされている
ことを特徴とする自転車用前側子供乗せ。
【請求項２】
立上がり部を備えた自転車の左右ハンドルの間に取り付けられ且つ内部に前方を向いて着座状態で子供を収容する収容部が上方に向かって開口するように設けられた本体と、前記収容部の開口を上方から閉鎖可能とすると共に前記収容部の開口に対して前方上側に向かって跳ね上げ開放可能となるように取り付けられたキャノピーと、を備えた自転車用前側子供乗せであって、
前記本体の上面には、本体に対して前後方向にスライド自在とされたスライダが配備されており、
前記キャノピーは、前記スライダに対して左右方向を向く軸回りに揺動自在に取り付けられており、
前記スライダの上側には、前記キャノピーを跳ね上げられた状態に保持する門型の跳ね上げ保持部が設けられており、
前記跳ね上げ保持部は、前記キャノピーの前端側に一端側が連結されたアーム部材を有しており、前記アーム部材の他端側を前後方向にスライドさせることでキャノピーが跳ね上げられる構成とされている
ことを特徴とする自転車用前側子供乗せ。
【請求項３】
前記スライダは、前記本体に対して前後方向にスライドすることで、前記収容部を全面開放可能とされており、
前記跳ね上げ保持部は、前記スライダに対して前後方向にスライドすることで、前記収容部の開口部を開口可能とされている
ことを特徴とする請求項２に記載の自転車用前側子供乗せ。
【請求項４】
前記収容部よりも後方の本体上部には、左右両側に向かって突出する係合ボス部が形成されており、
前記スライダの内面側には、前記係合ボス部が前後方向に移動可能に係合する被係合溝が形成されている
ことを特徴とする請求項１〜３のいずれかに記載の自転車用前側子供乗せ。
【発明の詳細な説明】
【技術分野】
【０００１】
本発明は、自転車の前側であって自転車ハンドルに取り付けられた子供乗せ（チャイルドシート、子供用座席、幼児用座席等ともいう）に関し、特に、子供を容易に乗せたり下ろしたりすることのできる子供乗せに関する。
【背景技術】
【０００２】
自転車を用いて、子供とともに外出する場合、自転車前部または後部荷台に取り付けた子供乗せに子供を着座させて移動することが一般的となっている。一例として、特開２０１１−０８８５３６号公報（特許文献１）には、自転車の前側であって自転車ハンドルに取り付ける子供乗せ（自転車用幼児座席）が開示されている。この自転車用幼児座席は、左右に立上がり部を備えた自転車のハンドルバーの左右立上り部の間に配置され、幼児座席の底部が自転車のハンドルステム等にボルト等によって取り付けられるタイプであって、座席本体と、この座席本体の前部の下部側に設けられた脚載せ部材と、座席本体の後端側に設けられたヘッドレストと、座席本体の前上部に設けられたグリップバー（自転車のハンドルと区別するために以下においてはグリップバーと記載する）とを備えている。
【０００３】
この自転車用幼児座席に子供を乗せる場合には、たとえば、自転車の運転者（母親）が自転車の前側にまわり込み、地面に立っている子供を抱き上げ、上方へ持ち上げたまま自転車用幼児座席の真上まで近づき、ヘッドレストとグリップバーとの間に子供の下半身を滑り込ませせるようにして、運転者の手で子供を座部に座らせる。
また、この自転車用幼児座席から子供を下ろす場合には、たとえば、自転車の運転者が自転車の前側（自転車用幼児座席の前側）にまわり込んで、シートベルトを開放し、座部に座った子供を抱き上げる。このとき、子供の脚がヘッドレストとグリップバーとの間から確実に上方に引き抜かれるまで子供を上方へ持ち上げる。そして、運転者が自転車から十分に離れてから、子供を地面に下ろすといった操作が行われる。
【先行技術文献】
【特許文献】
【０００４】
【特許文献１】特開２０１１−０８８５３６号公報
【発明の概要】
【発明が解決しようとする課題】
【０００５】
しかしながら、上述した特許文献１の自転車用幼児座席は、座席の周囲や座席の上方に、脚載せ部材やグリップバーなどを備えており、子供を自由に上げ下げできる空間的な余裕はほとんどない。当然、このような収容部に子供を下ろしたり、このような収容部から子供を持ち上げたりすることは容易ではない。
本発明は、上述した従来技術の問題点に鑑みて開発されたものであり、座席の周囲を完全な開放状態とすることで、子供の乗せ下ろしを簡便に行うことができる自転車用前側子供乗せを提供することを目的とする。
【課題を解決するための手段】
【０００６】
上記課題を解決するため、本発明の自転車用前側子供乗せは以下の技術的手段を講じている。
すなわち、本発明の自転車用前側子供乗せは、立上がり部を備えた自転車の左右ハンドルの間に取り付けられ且つ内部に前方を向いて着座状態で子供を収容する収容部が上方に向かって開口するように設けられた本体と、前記収容部の開口を上方から閉鎖可能とすると共に前記収容部の開口に対して前方上側に向かって跳ね上げ開放可能となるように取り付けられたキャノピーと、を備えた自転車用前側子供乗せであって、前記本体の上面には、本体に対して前後方向にスライド自在とされたスライダが配備されており、前記キャノピーは、前記スライダに対して左右方向を向く軸回りに揺動自在に取り付けられており、前記スライダは、当該本体の後端までスライドした位置で、前記収容部が全面開放するように左右方向を向く軸回りに揺動可能とされていることを特徴とする。
【０００７】
また、本発明の自転車用前側子供乗せは、立上がり部を備えた自転車の左右ハンドルの間に取り付けられ且つ内部に前方を向いて着座状態で子供を収容する収容部が上方に向かって開口するように設けられた本体と、前記収容部の開口を上方から閉鎖可能とすると共に前記収容部の開口に対して前方上側に向かって跳ね上げ開放可能となるように取り付けられたキャノピーと、を備えた自転車用前側子供乗せであって、前記本体の上面には、本体に対して前後方向にスライド自在とされたスライダが配備されており、前記キャノピーは、前記スライダに対して左右方向を向く軸回りに揺動自在に取り付けられており、前記スライダの上側には、前記キャノピーを跳ね上げられた状態に保持する門型の跳ね上げ保持部が設けられており、前記跳ね上げ保持部は、前記キャノピーの前端側に一端側が連結されたアーム部材を有しており、前記アーム部材の他端側を前後方向にスライドさせることでキャノピーが跳ね上げられる構成とされていることを特徴とする。
【０００８】
なお、好ましくは、前記スライダは、前記本体に対して前後方向にスライドすることで、前記収容部を全面開放可能とされており、前記跳ね上げ保持部は、前記スライダに対して前後方向にスライドすることで、前記収容部の開口部を開口可能とされているとよい。
なお、好ましくは、前記収容部よりも後方の本体上部には、左右両側に向かって突出する係合ボス部が形成されており、前記スライダの内面側には、前記係合ボス部が前後方向に移動可能に係合する被係合溝が形成されているとよい。
【発明の効果】
【０００９】
本発明の自転車用前側子供乗せによれば、座席の周囲を完全な開放状態とすることで、子供の乗せ下ろしを容易に行うことができる。
【図面の簡単な説明】
【００１０】
【図１】キャノピーが閉鎖状態とされた本実施形態の自転車用前側子供乗せを示した斜視図である。
【図２】キャノピーが閉鎖状態とされた本実施形態の自転車用前側子供乗せを示した断面図である。
【図３】キャノピーが半開放状態とされた本実施形態の自転車用前側子供乗せを示した斜視図である。
【図４】キャノピーが半開放状態とされた本実施形態の自転車用前側子供乗せを示した断面図である。。
【図５】キャノピーが全開放状態とされた本実施形態の自転車用前側子供乗せを示した斜視図である。
【図６】キャノピーが全開放状態とされた本実施形態の自転車用前側子供乗せを示した断面図である。
【発明を実施するための形態】
【００１１】
以下、本発明の自転車用前側子供乗せ１の実施形態を、図面に基づき詳しく説明する。
図１は、キャノピー２（図中においてグレーで示した部分、天蓋ともいう）を閉鎖した状態の本実施形態の自転車用前側子供乗せ１を、左前方から見た斜視図として示したものである。また、図２は、キャノピー２を閉鎖した状態の本実施形態の自転車用前側子供乗せ１を、幅方向中央を前後方向に沿って横切る切断面で切断した場合の断面図を示したものである。
【００１２】
図１および図２に示すように、自転車用前側子供乗せ１は、立上がり部３ａを備えた左右に伸びる自転車のハンドル３の間に配備されるものとなっている。
具体的には、本実施形態の子供乗せを搭載する自転車は、一般的な自転車よりもハンドルステムの取付位置を下げた構造を有している。
つまり、このハンドルステムはハンドル３の左右方向の中間を支持する部材であり、ハンドル３はハンドルステムを境に左方と右方とにそれぞれ伸びる構造となっている。この左右両側に伸びたハンドル３の先端には、運転者が握るグリップ４が取り付けられている。
【００１３】
具体的には、本実施形態の子供乗せが取り付けられる自転車のハンドル３は、正面から見た場合の外観が略Ｕ字状となるような外観を有している。つまり、このハンドル３は、ハンドルステムに固定されている中間から左方と左方とにそれぞれに水平に伸び、水平に伸びた先で上方に向かって垂直に立ち上がるように曲がり、上方に伸びた後、再び左右両側に向かってやや下方に傾斜しつつ曲がり、曲がった先にグリップ４が取り付けられる構造となっている。このハンドル３における上方に向かって垂直に立ち上がる部分が立上がり部３ａであり、左右の立上がり部３ａに挟まれた部分であって、ハンドルステムの上側に、本実施形態の自転車用前側子供乗せ１はボルトなどを用いて固定されている。
【００１４】
なお、本実施形態の自転車用前側子供乗せ１が好適に使用される自転車は、上述したハンドル３に立上り部３ａは形成されている必要があるが、それ以外の構成は一般的な自転車や電動アシスト付き自転車と変わるものではない。つまり、自転車用前側子供乗せ１が好適に使用される自転車は、前輪がハンドル３によりステアリング可能（操舵可能）とされていて、前後輪の中間に設けられた足こぎまたは足こぎに加えて電動アシスト機能により発生する駆動力を駆動輪である後輪に伝達することで、後輪を駆動しつつ走行可能とされている。また、上述したステアリングを行うステアリング機構、駆動伝達機構、駆動輪である後輪、さらには運転者が着座するサドルなどは、金属やカーボンファイバなどのパイプで組み上げられたフレームに配備されるものとなっている。
【００１５】
次に、本実施形態の自転車用前側子供乗せ１について説明する。
図１〜図６に示すように、本実施形態の自転車用前側子供乗せ１の本体５は、立上がり部３ａを備えた自転車のハンドル３の間に備え付けられている。この本体５の内部には、前方を向いて着座状態で子供を収容する収容部６が上方に向かって開口部６ａを開口させた状態で設けられている。
【００１６】
また、本体５の上部には、収容部６の開口部６ａを上方から閉鎖可能とするキャノピー２が設けられている。このキャノピー２は、雨や風を遮断できるものでありながら光は透過する材料で形成されており、外部に対して良好な視認性を確保できるものでありながら雨風を完全に遮断できるものであり、収容部６に着座する子供に優れた居住性を付与可能となっている。
【００１７】
さらに、本体５の上面には、本体に対して前後方向にスライド自在とされたスライダ７が配備されており、上述したキャノピー２は後端がスライダ７に対して左右方向を向く軸回りに揺動自在に取り付けられている。そして、スライダ７は、本体５の後端までスライドした位置で、収容部６が全面開放するように左右方向を向く軸回りに揺動可能とされるものとなっている。
【００１８】
次に、本実施形態の自転車用前側子供乗せ１を構成する本体５、キャノピー２、及びスライダ７について詳しく説明する。
以下の説明において、漕がれて前進する自転車に乗った運転者から見た前後方向及び左右方向を、自転車用前側子供乗せ１を説明する場合の前後方向及び左右方向という。なお、これらの方向は自転車用前側子供乗せ１に着座した子供から見た方向とも一致する。
【００１９】
上述した本体５は、上方に向かって開口する筺状の部材であり、内部には子供を収容する収容部６が形成されている。つまり、本体５は、収容部６の下方、後方、前方、左方、右方に、それぞれ合成樹脂で形成された底壁５ｂ、後壁５ｃ、前壁５ｄ、左側壁５ｅ、右側壁５ｆが設けられており、収容部６は壁面で周囲が囲まれた高い安全性を有する環境で子供を収納可能となっている。
【００２０】
具体的には、本体５は、側方から見た場合の断面が涙滴状となるような流線型の筺体である。本体５の底壁５ｂは後端側が平坦な板状に形成され、また底壁５ｂの前端側は前方に向かうにつれて緩やかな曲面を描きつつ下方に向かって傾斜している。
本体５の後壁５ｃは後方上側に向かってなだらかに傾斜したものとなっている。そして、本体５の上側には、この後壁５ｃの上端から、底壁５ｂの前端に向かって断面が円弧状となるような湾曲面８が形成されている。この湾曲面８の後端側には、上方に向かって開口する開口部６ａが形成されており、この開口部６ａを通じて収容部６に子供を乗せたり、収容部６の外に子供を降したりできるようになっている。
【００２１】
なお、この湾曲面８の後端側に形成される開口部６ａが、上方を塞ぐものがない程度に全面に亘って開放されることを、本発明では「全面開放されている」と呼ぶ。以下、本明細書において同じ。
また、上述した湾曲面８の前端側は前方下側に向かって傾斜した傾斜面となっており、この湾曲面８の前端側の傾斜面が本体の前壁５ｄとなっている。
【００２２】
さらに、そして、これらの底壁５ｂ、前壁５ｄ、及び後壁５ｃの左右両側には、上下方向に沿った左側壁５ｅ及び右側壁５ｆが配備されている。
上述した収容部６は、前方を向いて着座状態で子供を収容可能とする部分であり、内部には子供が着座可能な座部９が設けられている。具体的には、収容部６は、本体５の後壁５ｃ上部に、子供が着座時に頭を載せるヘッドレスト１０を有しており、また本体５の後壁５ｃ下部に、子供が着座時にもたれかかる背もたれ部１１を有している。そして、本体５の底壁５ｂには、子供が腰を下ろして着座する座部９が設けられている。
【００２３】
上述したヘッドレスト１０、背もたれ部１１、及び座部９は、いずれも弾力性を備えたクッション部材で形成されており、子供がもたれかかったり座ったりした場合に、快適な座り心地を実現できるような配慮がされている。
収容部６の前方下側には、子供が足を下ろすフットレスト部１２が形成されている。このフットレスト部１２は、本体５の底壁５ｂを下方に向かって膨らませるように湾曲させた部分であり、子供が窮屈な思いをすることなく存分に足を伸ばせるように前方下側に向かって深い奥行きを備えた部分として形成されている。
【００２４】
また、収容部６の前方に設けられた本体５の前壁５ｄは、内外二重壁として形成されており、衝突時の安全性が向上させられている。そして、この本体５の前壁５ｄに近い収容部６には、着座した子供が握ることができるグリップバー１３が設けられている。
グリップバー１３は、本体５の左側壁５ｅと右側壁５ｆとの間に架け渡された棒状の部材であり、把持しやすいように子供の前方に距離をあけて配備されている。グリップバー１３は、加速時、減速時、傾斜時などで力が働いた場合のように子供が把持して自らの姿勢を安定させるために用いるものである。本実施形態のグリップバー１３は、パイプ材などを折り曲げることで、前方から見た場合に門型となるように形成されている。グリップバー１３の両端側は、本体５の左右側壁５ｅ、５ｆに固定されている。
【００２５】
本体５の左側壁５ｅ及び右側壁５ｆの後方上側には、左方向と右方向とのそれぞれの方向に向かって突出する係合ボス部１４が形成されている。この係合ボス部１４は、後述するスライダ７（キャノピー２）の被係合溝１５に遊嵌可能となっている。なお、係合ボス部１４及び被係合溝１５については、後ほど詳しく説明する。
キャノピー２は、上方に向かって膨らむように湾曲した部材であり、収容部６から外側が視認できるように透明または半透明な部材から形成されている。このキャノピー２を構成する透明または半透明な部材には、アクリル樹脂やポリカーボネート樹脂のような耐衝撃性に優れる樹脂が用いられている。また、キャノピー２には、収容部６の居住性を向上させるために必要に応じて紫外線吸収剤や着色剤が添加されていても良い。
【００２６】
キャノピー２の後端側には、キャノピー２をスライダ７に対して揺動させる揺動部１６が設けられている。この揺動部１６は、左右方向を向く揺動軸１７を有しており、揺動軸１７回りに揺動自在にキャノピー２をスライダ７に連結している。
キャノピー２の前端側には、スライダ７のハッチ１８に対して閉鎖状態とされたキャノピー２を本体５に係止する係止部材１９が設けられている。この係止部材１９は、湾曲面８に設けられた被係止部材２０に係止可能とされており、キャノピー２を閉鎖状態で本体５に係止可能となっている。
【００２７】
スライダ７は、上述した本体５の上側に、本体５の上面に沿うように配備された部材である。スライダ７は、上方に向かって開口するハッチ１８が中央に形成された袴体２１と、袴体２１の後端側に開閉自在に取り付けられたキャノピー２を開放された状態（水平面から上方に向かってキャノピー２が３０°程度の角度で傾斜した状態）に保持する跳ね上げ保持部材２２と、を有している。
【００２８】
袴体２１は、上述したように上方に向かって膨らむように湾曲する本体５の湾曲面８に対して、この湾曲面８の表面に沿って前後方向に移動可能となっている。
具体的には、袴体２１は、上方に向かって開口するハッチ１８を中央に有している。この袴体２１におけるハッチ８の外縁に沿った位置には、上方に向かって立ち上がる堤部２３が形成されており、堤部２３により囲まれた内側が上述したハッチ１８とされている。
【００２９】
ハッチ１８の前側に位置する袴体２１は、上述した湾曲面８と同じ曲率を備えた曲面状の板状に形成されている。このハッチ１８の前側には、上述した係止部材１９と係合してキャノピー２を本体５に係止する被係止部材２０と、袴体２１のスライド位置を調整する調整ベルト２４と、が設けられている。
この調整ベルト２４は、上側にラチェット歯２５が前後方向に沿って複数形成されており、上述した湾曲面８の表面には、ラチェット歯２５に対応した左右方向の中央側に、ラチェット歯２５に噛み合う爪部材２６が設けられている。つまり、調整ベルト２４は、この爪部材２６を前後方向に設けられた複数のラチェット歯２５のいずれかに噛み合わせることで、袴体２１のスライド位置を調整可能となっている。例えば、前後方向に設けられた複数のラチェット歯２５のうち、前側に位置するラチェット歯２５に爪部材２６を噛み合わせれば、袴体２１のスライド位置を後方に調整可能となる。また、前後方向に設けられた複数のラチェット歯２５のうち、後側に位置するラチェット歯２５に爪部材２６を噛み合わせれば、袴体２１のスライド位置を前方に調整可能となる。
【００３０】
一方、ハッチ１８の左側及び右側に位置する袴体２１は、本体５の左側壁５ｅ及び右側壁５ｆと平行となるように上下方向に板状に形成されており、スライダ７の前後方向に沿ったスライド７の邪魔にならないようになっている。そして、ハッチ１８の左側及び右側の開口縁に位置する袴体２１に、上述した跳ね上げ保持部材２２が設けられている。
ところで、本発明の自転車用前側子供乗せ１では、本体５の上面に、本体５に対して前後方向にスライド自在とされたスライダ７が配備され、キャノピー２はスライダ７に対して左右方向を向く軸回りに揺動自在に取り付けられている。そして、スライダ７は、当該本体５の後端までスライドした位置で、収容部６が全面開放するように左右方向を向く軸回りに揺動可能とされていることにある。
【００３１】
また、本発明の自転車用前側子供乗せ１は、本体５の上面に、キャノピー２の前側を跳ね上げられた状態に保持する門型の跳ね上げ保持部２２を有しており、この跳ね上げ保持部２２がキャノピー２の跳ね上げ動作に伴って前後方向にスライド可能とされていることも特徴としている。
次に、本発明の特徴であるスライダ７を揺動させる機構及び跳ね上げ保持部２２について説明する。
【００３２】
本体５の上面に対して、上述したスライダ７は、前後方向にスライド自在とされている。このスライダ７の前後方向に沿った移動は、収容部６の後方の本体５上部から左右両側に向かって突出する係合ボス部１４を、スライダ７の内面側に前後方向に沿うように形成された被係合溝１５に係合させることで行われる。
具体的には、係合ボス部１４は、左右方向を向く軸回りに円筒状に形成された部材であり、収容部６の後方の本体５上部から左右両側に向かって突出している。
【００３３】
一方、被係合溝１５は、スライダ７の内面側におけるハッチ１８の開口縁よりやや下方に形成されている。この被係合溝１５は、スライダ７におけるハッチ１８のやや下方の内周面に形成されている。被係合溝１５の前側の溝端はハッチ１８の前後方向のほぼ中間に位置しており、被係合溝１５の後側の溝端はハッチ１８の後部とほぼの同じ位置に形成されている。そして、被係合溝１５は、上述した湾曲面８とほぼ同じ曲率半径の円弧状となるように湾曲しており、上述した前後２箇所の溝端を結んでいる。
【００３４】
また、この被係合溝１５には、一定のクリアランスだけ余裕を持って上述した係合ボス部１４が遊嵌しており、係合ボス部１４は被係合溝１５が形成される前後方向に沿って溝内を移動可能となっている。
上述した被係合溝１５の２つの溝端（前側の溝端及び後側の溝端）は、いずれも係合ボス部１４よりやや大きい曲率半径の円筒面として形成されており、係合ボス部１４が被係合溝１５の溝端（後側の溝端）で回転することを許容する構造となっている。
【００３５】
つまり、被係合溝１５の前側の溝端から後側の溝端まで係合ボス部１４を移動させると、本体５に対してスライダ７が後方に移動する。やがて、被係合溝１５の後側の溝端まで係合ボス部１４が移動すると、本体５に対してスライダ７はハッチ１８の前後方向に沿った開口寸法の半分程度だけ後方に張り出した姿勢をとるようになる。
このように被係合溝１５の後側の溝端に係合ボス部１４が位置する場合、被係合溝１５の後側の溝端で係合ボス部１４は自在に回転可能となる。つまり、被係合溝１５の後側の溝端に係合ボス部１４が位置する場合、上述したようにスライダ７は本体５の後端から後方に向かって突き出た状態となる。ここで、スライダ７を下方に向かって押し下げれば、スライダ７が被係合溝１５の後側の溝端に位置する係合ボス部１４を中心に回動する。この回動は、スライダ７の後端が下方に揺動し、スライダ７の前端が上方に揺動するものとなる。
【００３６】
その結果、図５、図６に示すように、水平方向に倒れていたスライダ７が上下方向に沿うように起立した姿勢に変化し、収容部６の開口部６ａが上方に子供の乗降を邪魔するものがない全面開放状態となる。それゆえ、子供を収容部６に搭乗させたり、子供を収容部６から降ろしたりすることが、キャノピー２に邪魔されることなく、簡単に行えるようになって、子供の乗降が容易となり「子供乗せ」の利便性が格段に向上する。
【００３７】
一方、上述した跳ね上げ保持部２２は、スライダ７のハッチ１８の下側に形成されたガイドレール２７と、このガイドレール２７に沿って前後方向にガイドされる案内部材２８と、案内部材２８に左右両端側が枢支されると共に長手方向の中途側がキャノピー２の前端側に枢支された門型のアーム部材２９と、を有している。
具体的には、ガイドレール２７は、スライダ７のキャノピー１８の開口端に沿うように、前後方向に向かって形成されている。また、ガイドレール２７は、キャノピー１８の内側を向って突出するように形成されており、内側から案内部材２８が遊嵌するようになっている。なお、ガイドレール２７の左右方向の中途側は上下方向の厚みがいずれの場所でも等しく形成されており、これに対して左右方向の両側は中途側よりも上下方向の厚みが厚くなっていて、案内部材２８の前後方向に沿った移動を規制可能となっている。
【００３８】
案内部材２８は、下側が上述したガイドレール２７に遊嵌可能なようにコ字状に形成されている。また、案内部材２８の上側には、左右方向を向く枢支ピン３０が設けられており、アーム部材２９の一端側が左右方向を向く軸回りに揺動自在に枢支されている。
アーム部材２９は、逆Ｕ字状に折り曲げられた長尺棒状の部材であり、前方から見た場合に門型に形成されている。アーム部材２９における長手方向の両端側、言いかえれば図４において上下方向に伸びるアーム部材２９における下端側は、上述した案内部材２８に枢支されている。また、図４において上下方向に伸びるアーム部材２９における上端側は、言い換えれば左右方向に曲げられたアーム部材２９は、キャノピー２の前端側に左右方向を向く軸回りに揺動自在に枢支されている。
【００３９】
つまり、図１及び図２に示すような閉鎖状態のキャノピー２を、図３及び図４に示すような開口状態にする場合、スライダ７の後端側を中心に、キャノピー２の前端側を上方に向かって跳ね上げ方向に揺動させる。そうすると、キャノピー２の前端側が上方に移動するに連れて、アーム部材２９の他端側が上方に吊り上がり、他端側が吊り上がった分だけアーム部材２９の一端側が前方に摺動しつつ移動する。そして、アーム部材２９の一端側に連結された案内部材２８がガイドレール２７に沿って前方に移動する。
【００４０】
やがて、ガイドレール２７の前端まで案内部材２８が移動すると、図３及び図４に示すようにうように垂直に立ち上がった姿勢となり、キャノピー２が開口した状態に保持される。
開口状態のキャノピー２を閉鎖状態にする場合は、上述した操作を逆の順番で行うことで、キャノピー２を閉鎖状態にすることができる。
【００４１】
上述した跳ね上げ保持部２２を設ければ、収容部６に風を入れることが可能になり、暑い時期に子供乗せを利用する際に、居住性を高めることが可能となる。また、キャノピー２を跳ね上げ状態に保持できれば、収容部６に着座した子供が何をしているかを簡便に確認することができ、子供の保護者が使用者である場合に使用者にとって安心な使い勝手を提供ことが可能となる。
【００４２】
なお、今回開示された実施形態はすべての点で例示であって制限的なものではないと考えられるべきである。特に、今回開示された実施形態において、明示的に開示されていない事項、例えば、運転条件や操業条件、各種パラメータ、構成物の寸法、重量、体積などは、当業者が通常実施する範囲を逸脱するものではなく、通常の当業者であれば、容易に想定することが可能な値を採用している。
【符号の説明】
【００４３】
１  自転車用前側子供乗せ
２  キャノピー
３  ハンドル
３ａ  ハンドルの立上がり部
４  グリップ
５  本体
５ｂ  本体の底壁
５ｃ  本体の後壁
５ｄ  本体の前壁
５ｅ  本体の左側壁
５ｆ  本体の右側壁
６  収容部
６ａ  収容部の開口部
７  スライダ
８  湾曲面
９  座部
１０  ヘッドレスト
１１  背もたれ部
１２  フットレスト部
１３  グリップバー
１４  係合ボス部
１５  被係合溝
１６  揺動部
１７  揺動軸
１８  ハッチ
１９  係止部材
２０  被係止部材
２１  袴体
２２  跳ね上げ保持部材
２３  堤部
２４  調整ベルト
２５  ラチェット歯
２６  爪部材
２７  ガイドレール
２８  案内部材
２９  アーム部材
３０  枢支ピン
【図１】
2020082845.tif 000003
【図２】
2020082845.tif 000004
【図３】
2020082845.tif 000005
【図４】
2020082845.tif 000006
【図５】
2020082845.tif 000007
【図６】
2020082845.tif 000008